(57)【特許請求の範囲】
【請求項１】
画像処理装置と、前記画像処理装置における処理に対する課金処理を行う課金装置と、を有する課金システムにおいて、
前記課金装置は、
領収書の発行が可能か否かを判断する判断手段と、
領収書の発行が可能であると判断され、かつ前記画像処理装置からジョブの終了通知を受信した場合に、領収書の発行が可能な発行期間の計測を開始する計測手段と、
領収書の発行が可能であると判断され、かつ前記画像処理装置からジョブの終了通知を受信した場合に、領収書の発行可能通知を前記画像処理装置に送信し、前記領収書が発行された場合又は前記発行期間が終了した場合に、処理完了通知を前記画像処理装置に送信する送信手段と
を有し、
前記画像処理装置は、
前記課金装置から前記発行可能通知を受信した場合に領収書の発行画面を表示手段に表示し、前記課金装置から前記処理完了通知を受信した場合に、前記発行画面の表示を終了するよう制御する制御手段を有することを特徴とする課金システム。
【請求項２】
前記画像処理装置は、
ユーザ操作に応じて、前記発行画面を確認したことを示す確認情報の入力を受け付ける第１の受付手段をさらに有し、
前記制御手段は、前記処理完了通知の受信前に前記確認情報を受け付けた場合に、前記発行画面の表示を終了するよう制御することを特徴とする請求項１に記載の課金システム。
【請求項３】
前記課金装置の前記送信手段は、前記判断手段により前記領収書の発行が不可能であると判断された場合に、領収書の発行不可通知を送信し、
前記画像処理装置の前記制御手段は、前記発行不可通知を受信した場合に、領収書の発行が行えない旨の通知画面を前記表示手段に表示するよう制御することを特徴とする請求項１又は２に記載の課金システム。
【請求項４】
前記画像処理装置は、
前記発行画面を表示した後で、領収書発行のユーザ操作を受け付ける第２の受付手段と、
前記領収書発行のユーザ操作を受け付けた場合に、前記課金装置に発行指示を送信する第１の送信手段と
をさらに有することを特徴とする請求項１乃至３何れか１項に記載の課金システム。
【請求項５】
前記課金装置は、
領収書を印刷する印刷手段をさらに有し、
前記制御手段は、前記印刷手段による印刷が可能か否かに基づいて、前記領収書の発行が可能か否かを判断することを特徴とする請求項１乃至４何れか１項に記載の課金システム。
【請求項６】
画像処理装置と、前記画像処理装置における処理に対する課金処理を行う課金装置と、を有する課金システムにおいて、
前記課金装置は、
領収書の発行が可能か否かを判断する判断手段と、
領収書の発行が可能であると判断され、かつ前記画像処理装置からジョブの終了通知を受信した場合に、領収書の発行可能通知を送信する送信手段と
を有し、
前記画像処理装置は、
前記発行可能通知を受信した場合に、領収書の発行が可能な発行期間の計測を開始する計測手段と、
前記発行可能通知を受信した場合に、領収書の発行画面を表示手段に表示するよう制御する制御手段と、
前記発行期間が終了した場合に、前記課金装置に発行期間の終了通知を送信する送信手段と
を有することを特徴とする課金システム。
【請求項７】
課金装置が領収書の発行が可能であると判断し、かつ画像処理装置からジョブの終了通知を受信した場合に課金装置から送信される、領収書の発行が可能である旨の発行可能通知を受信した場合に領収書の発行画面を表示手段に表示し、領収書が発行された場合又は、前記課金装置が領収書の発行が可能であると判断し、かつ画像処理装置からジョブの終了通知を受信した際に計測を開始する、領収書の発行が可能な発行期間が終了したことを前記課金装置が確認した場合に前記課金装置から送信される処理完了通知を受信した場合に、前記発行画面の表示を終了するよう制御する制御手段を有することを特徴とする画像処理装置。
【請求項８】
画像処理装置と、前記画像処理装置における処理に対する課金処理を行う課金装置と、を有する課金システムが実行する制御方法であって、
前記制御方法は、
前記課金装置が実行するステップで、領収書の発行が可能であると判断され、かつ前記画像処理装置からジョブの終了通知を受信した場合に、領収書の発行が可能な発行期間の計測を開始するステップである計測ステップと、
前記課金装置が実行するステップで、領収書の発行が可能であると判断され、かつ前記画像処理装置からジョブの終了通知を受信した場合に、領収書の発行可能通知を前記画像処理装置に送信し、前記領収書が発行された場合又は前記発行期間が終了した場合に、処理完了通知を前記画像処理装置に送信するステップである送信ステップと、
前記画像処理装置が実行するステップで、前記課金装置から前記発行可能通知を受信した場合に領収書の発行画面を表示手段に表示し、前記課金装置から前記処理完了通知を受信した場合に、前記発行画面の表示を終了するよう制御するステップである制御ステップと
を含むことを特徴とする制御方法。
【請求項９】
画像処理装置が実行する制御方法であって、
前記制御方法は、
課金装置が領収書の発行が可能であると判断し、かつ画像処理装置からジョブの終了通知を受信した場合に課金装置から送信される、領収書の発行が可能である旨の発行可能通知を受信した場合に領収書の発行画面を表示手段に表示し、領収書が発行された場合又は、前記課金装置が領収書の発行が可能であると判断し、かつ画像処理装置からジョブの終了通知を受信した際に計測を開始する、領収書の発行が可能な発行期間が終了したことを前記課金装置が確認した場合に前記課金装置から送信される処理完了通知を受信した場合に、前記発行画面の表示を終了するよう制御する制御ステップを含むことを特徴とする制御方法。
【請求項１０】
コンピュータを、
課金装置が領収書の発行が可能であると判断し、かつ画像処理装置からジョブの終了通知を受信した場合に課金装置から送信される、領収書の発行が可能である旨の発行可能通知を受信した場合に領収書の発行画面を表示手段に表示し、領収書が発行された場合又は、前記課金装置が領収書の発行が可能であると判断し、かつ画像処理装置からジョブの終了通知を受信した際に計測を開始する、領収書の発行が可能な発行期間が終了したことを前記課金装置が確認した場合に前記課金装置から送信される処理完了通知を受信した場合に、前記発行画面の表示を終了するよう制御する制御手段として機能させるためのプログラム。
【発明の詳細な説明】
【技術分野】
【０００１】
本発明は、課金システム、制御方法及びプログラムに関する。
【背景技術】
【０００２】
従来、画像処理装置に接続された課金装置の中には、画像処理装置でのジョブ終了時に一定期間領収書の発行が可能な装置がある。これらの装置では、課金装置の領収書発行ボタンを点灯や点滅をさせることでユーザに領収書発行可能であることを通知し、領収書発行ボタンの押下を受け付けることで領収書の発行を行う。しかし、ユーザが領収証発行ボタンの通知に気が付かないうちに領収書を発行可能な期間が終了してしまい、ユーザが領収書を発行できない場合がある。これに対し、特許文献１には、ユーザが設定条件の入力を行う前に領収書を出力するか否かの選択をユーザから受け付ける技術が開示されている。これにより、領収書の発行ができなくなることを防止している。
【先行技術文献】
【特許文献】
【０００３】
【特許文献１】特開２００９−２３９４６５号公報
【発明の概要】
【発明が解決しようとする課題】
【０００４】
しかしながら、特許文献１の技術では、領収書が不要なユーザに対しても印刷指示の度に領収書の発行の要否についての設定を強いることになり、ユーザの手間が生じてしまう。
【０００５】
本発明はこのような問題点に鑑みなされたもので、ユーザによる面倒な操作を要することなく、ユーザに領収書の発行を効果的に通知することを目的とする。
【課題を解決するための手段】
【０００６】
そこで、本発明は、画像処理装置と、前記画像処理装置における処理に対する課金処理を行う課金装置と、を有する課金システムにおいて、前記課金装置は、領収書の発行が可能であると判断され、かつ前記画像処理装置からジョブの終了通知を受信した場合に、領収書の発行が可能な発行期間の計測を開始する計測手段と、領収書の発行が可能であると判断され、かつ前記画像処理装置からジョブの終了通知を受信した場合に、領収書の発行可能通知を前記画像処理装置に送信し、前記領収書が発行された場合又は前記発行期間が終了した場合に、処理完了通知を前記画像処理装置に送信する送信手段とを有し、前記画像処理装置は、前記発行可能通知を受信した場合に領収書の発行画面を表示手段に表示し、前記課金装置から前記処理完了通知を受信した場合に、前記発行画面の表示を終了するよう制御する制御手段を有することを特徴とする。
【発明の効果】
【０００７】
本発明によれば、ユーザによる面倒な操作を要することなく、ユーザに領収書の発行を効果的に通知することができる。
【図面の簡単な説明】
【０００８】
【図１】課金システムのハードウェア構成を示す図である。
【図２】課金システムの処理を示すフローチャートである。
【図３】課金システムの処理を示すフローチャートである。
【図４】発行不可画面の一例を示す図である。
【図５】発行画面の一例を示す図である。
【図６】第２の実施形態に係る課金システムの処理を示すフローチャートである。
【図７】第２の実施形態に係る発行画面の一例を示す図である。
【発明を実施するための形態】
【０００９】
以下、本発明の実施形態について図面に基づいて説明する。
（第１の実施形態）
図１は、第１の実施形態に係る課金システムのハードウェア構成を示す図である。課金システムは、画像処理装置１００及び課金装置１１０を有している。画像処理装置１００としては、プリンタやＭＦＰ（Ｍｕｌｔｉ  Ｆｕｎｃｔｉｏｎ  Ｐｅｒｉｐｈｅｒａｌ）等が挙げられる。画像処理装置１００は、ＣＰＵ１０１、メモリ１０２、補助記憶装置１０３、スキャナ装置１０４、印刷装置１０５、操作パネル１０６及びＩＦ１０７を有している。これら各部は、内部バス１０８によって接続されている。ＣＰＵ１０１は、プログラムの実行や様々な処理の制御を行う。メモリ１０２は、ＲＡＭとＲＯＭから構成され、プログラム、データの格納場所として利用される。補助記憶装置１０３は、ハードディスク等の大容量記憶装置から構成され、大容量データの保管、プログラムの実行コードの保持を行う。補助記憶装置１０３は、メモリ１０２と比較して、長時間保持する必要があるデータを記憶する。なお、後述する画像処理装置１００の機能や処理は、ＣＰＵ１０１が補助記憶装置１０３に格納されているプログラムを読み出し、このプログラムを実行することにより実現されるものである。
【００１０】
スキャナ装置１０４は、紙原稿の光学的なスキャンを行う。印刷装置１０５は、トナーを利用してデジタルデータを紙媒体に印刷する。操作パネル１０６は、ユーザに対する情報の提供や、ユーザからの指示の入力を行う。ＩＦ１０７は、コネクタ１０９を介して課金装置１１０内のＩＦ１１３と接続する。
【００１１】
課金装置１１０は、ＣＰＵ１１１、メモリ１１２、ＩＦ１１３、領収書ボタン１１４、印刷装置１１５及び返金ボタン１１６を有している。これら各部は、内部バス１１７によって接続されている。ＣＰＵ１１１は、ＩＦ１１３、領収書ボタン１１４、印刷装置１１５及び返金ボタン１１６の制御やプログラムの実行を行う。メモリ１１２は、プログラムやデータの格納場所として利用される。なお、課金装置１１０の機能や処理は、ＣＰＵ１１１が、メモリ１１２に格納されているプログラムを読み出し、このプログラムを実行することにより実現されるものである。
【００１２】
領収書ボタン１１４は、ＬＥＤを緑や赤色に点灯、点滅させることにより課金装置１１０の状態をユーザに通知する。印刷装置１１５は、領収書発行可能期間に領収書ボタン１１４が押下された場合に、領収書の印刷発行を行う。返金ボタン１１６は、ユーザが返金指示を入力するためのボタンである。ジョブ実行中は、返金ボタン１１６はＣＰＵ１１１によりロックされ返金ができない状態となる。なお、本実施形態においては、画像処理装置１００と課金装置１１０の間の通信は、コネクタ１０９が用いられるものとするが、両装置の通信方式は実施形態に限定されるものではない。他の例としては、画像処理装置１００と課金装置１１０は、無線ＬＡＮ等のネットワークを介して接続してもよい。
【００１３】
図２及び図３は、課金システムの処理を示すフローチャートである。まず、Ｓ２１０１において、課金装置１１０のＣＰＵ１１１は、課金装置１１０の印刷装置１１５にて領収書の発行が可能か否かを判断する。ＣＰＵ１１１は、印刷装置１１５による印刷が可能か否かに基づいて、領収書の発行が可能か否かを判断する。ＣＰＵ１１１は、例えば領収書のロール紙切れのため、領収書の印刷が行えない場合には、領収書の発行が行えないと判断する。ＣＰＵ１１１は、領収書の発行が可能と判断した場合には（Ｓ２１０１でＹＥＳ）、処理をＳ２１０４へ進める。ＣＰＵ１１１は、領収書の発行が不可能と判断した場合には（Ｓ２１０１でＮＯ）、処理をＳ２１０２へ進める。なお、Ｓ２１０１の処理は、判断処理の一例である。
【００１４】
Ｓ２１０２において、ＣＰＵ１１１は、画像処理装置に領収書の発行不可通知を送信する。発行不可通知は、課金装置１１０において領収書の発行を行えないことを通知する情報である。発行不可通知は、課金装置１１０のＩＦ１１３、コネクタ１０９、画像処理装置１００のＩＦ１０７を介してＣＰＵ１０１に到達する。その後、ＣＰＵ１１１は、処理をＳ２１０３へ進める。Ｓ２１０３において、ＣＰＵ１１１は、領収書ボタン１１４のＬＥＤを赤色に点滅させる。
【００１５】
一方、画像処理装置１００のＣＰＵ１０１は、課金装置１１０より発行不可通知を受信すると、Ｓ２２０１において、操作パネル１０６に発行不可画面を表示するよう制御する。発行不可画面は、領収書の発行が行えない旨の通知画面である。図４は、発行不可画面４００の一例を示す図である。発行不可画面４００には、領収書不要であれば画像処理の実行が可能である旨の通知情報が表示されている。また、領収書なしで印字処理を実行することを指示するための不要ボタン４０１が表示されている。
【００１６】
図２に戻り、Ｓ２２０２において、ＣＰＵ１０１は、操作パネル１０６よりボタン４０１が選択されたか否かを確認する。不要ボタン４０１が選択された場合には（Ｓ２２０２でＹＥＳ）、処理をＳ２２０３へ進める。Ｓ２２０３において、ＣＰＵ１０１は、操作パネル１０６に設定画面を表示するよう制御する。さらに、ＣＰＵ１０１は、不要ボタン４０１が選択された場合には、領収書発行不可の状態でジョブが実行されることを示す情報をメモリ１０２又は補助記憶装置１０３に記憶する。ＣＰＵ１０１は、例えば、領収書発行不可のフラグをＯＮにしてメモリ１０２等に保持させる。なお、メモリ１０２等に記憶させる内容の形式は特に限定されるものではない。
【００１７】
一方、Ｓ２１０４において、ＣＰＵ１１１は、画像処理装置１００に領収書の発行可能通知を送信する。発行可能通知は、課金装置１１０が領収書を発行できることを通知する情報である。画像処理装置１００のＣＰＵ１０１は、発行可能通知を受信すると、Ｓ２２０３において、設定画面を表示するよう制御する。なお、Ｓ２１０２及びＳ２１０４の処理は、送信処理の一例である。また、Ｓ２２０１の処理は制御処理の一例である。
【００１８】
画像処理装置１００のＣＰＵ１０１は、Ｓ２２０３の処理の後、処理をＳ２２０４へ進める。Ｓ２２０４において、ＣＰＵ１０１は、操作パネル１０６よりジョブ実行の入力を受け付けるまで待機する。ＣＰＵ１０１は、ジョブ実行の入力を受け付けると（Ｓ２２０４でＹＥＳ）、処理をＳ２２０５へ進める。Ｓ２２０５において、ＣＰＵ１０１は、必要金額の算出を行う。そして、ＣＰＵ１０１は、算出した必要金額を示す必要金額情報を課金装置１１０に送信する。課金装置１１０のＣＰＵ１１１は、画像処理装置１００から必要金額情報を受信すると、Ｓ２１０５において、課金装置１１０に入金されている金額が必要金額を満たしているか否かを判断する。ＣＰＵ１１１は、必要金額を満たしていないと判断した場合（Ｓ２１０５でＮＯ）、処理をＳ２１０６へ進める。
【００１９】
Ｓ２１０６において、ＣＰＵ１１１は、画像処理装置１００へ不足金額通知を送信する。画像処理装置１００のＣＰＵ１０１は、課金装置１１０より不足金額通知を受信すると、Ｓ２２０６において、操作パネル１０６に不足金額を表示するよう制御する。なお、課金装置１１０において、ユーザにより追加の入金が行われた場合は、ＣＰＵ１１１は、処理をＳ２１０５へ進める。すなわち、ＣＰＵ１１１は、再度、必要金額を満たしているか否かを判断する。
【００２０】
Ｓ２１０５において、ＣＰＵ１１１は、必要金額を満たしていると判断した場合（Ｓ２１０５でＹＥＳ）、処理をＳ２１０７へ進める。Ｓ２１０７において、ＣＰＵ１１１は、返金ボタン１１６をロックする。これは、画像処理装置１００によるジョブ実行中に返金ボタン１１６が押下され、ジョブが中止されるのを防ぐためである。Ｓ２１０７の処理の後、ＣＰＵ１１１は、処理をＳ２１０８へ進める。Ｓ２１０８において、ＣＰＵ１１１は、画像処理装置１００に対し、ジョブの実行通知を送信する。
【００２１】
画像処理装置１００のＣＰＵ１０１は、ジョブの実行通知を受信すると、Ｓ２２０７において、ジョブを実行する。次に、Ｓ２２０８において、ＣＰＵ１０１は、ジョブ終了を検知すると（Ｓ２２０８でＹＥＳ）、処理をＳ２２０９へ進める。Ｓ２２０９において、ＣＰＵ１０１は、課金装置１１０にジョブの終了通知を送信する。課金装置１１０のＣＰＵ１１１は、ジョブの終了通知を受信すると、Ｓ２１０９において、必要金額の徴収を確認する。次に、Ｓ２１１０において、ＣＰＵ１１１は、返金ボタン１１６のロックを解除する。
【００２２】
次に、図３に示すように、課金装置１１０のＣＰＵ１１１は、Ｓ２１１１において、課金装置１１０に投入された金額の残金が０円か否かを確認する。ＣＰＵ１１１は、残金が０円でない場合には（Ｓ２１１１でＮＯ）、処理をＳ２１１２へ進める。ＣＰＵ１１１は、残金が０円の場合には（Ｓ２１１１でＹＥＳ）、処理をＳ２１１４へ進める。Ｓ２１１２において、ＣＰＵ１１１は、画像処理装置１００に残金を示す残金情報を送信する。画像処理装置１００のＣＰＵ１０１は、残金通知を受信すると、Ｓ２２１０において、操作パネル１０６に「同じ設定で再度印刷を実行しますか」と問い合わせる再印刷画面を表示する。その後、ＣＰＵ１０１は、処理をＳ２２０３へ進め、「はい」「いいえ」の選択により再び設定画面を表示する。
【００２３】
一方、課金装置１１０のＣＰＵ１１１は、Ｓ２１１２の処理の後、Ｓ２１１３において、返金ボタン１１６が押下されたか否かを確認する。ＣＰＵ１１１は、返金ボタンが押下された場合には（Ｓ２１１３でＹＥＳ）、処理をＳ２１１４へ進める。Ｓ２１１４において、ＣＰＵ１１１は、領収書発行不可の状態でジョブ実行されたか否かを確認する。ＣＰＵ１１１は、Ｓ２２０３において画像処理装置１００に記憶された領収書発行不可のフラグを確認することにより判定する。
【００２４】
また、他の例としては、ＣＰＵ１１１は、Ｓ２１０７にて返金ボタンをロックした際の印刷装置１１５の状態に応じて、領収書発行不可のＯＮ又はＯＦＦのフラグをメモリ１１２に記録しておき、これを確認することにより判定してもよい。また、他の例としては、ＣＰＵ１１１は、Ｓ２１１４の処理時点で、印刷装置１１５の状態を再度確認し、状態に応じて判定してもよい。また、他の例としては、画像処理装置１００において、領収書発行不可が選択されると、画像処理装置１００から課金装置１１０へ設定の内容が送信され、ＣＰＵ１１１は、送信された内容に従い判定してもよい。
【００２５】
ＣＰＵ１１１は、領収書発行不可の状態でジョブ実行されたと判定した場合（Ｓ２１１４でＹＥＳ）、処理をＳ２１１５へ進める。ＣＰＵ１１１は、領収書発行可能な状態でジョブ実行されたと判定した場合には（Ｓ２１１４でＮＯ）、処理をＳ２１１６へ進める。Ｓ２１１５において、ＣＰＵ１１１は、課金装置１１０の処理が完了した旨の処理完了通知を画像処理装置１００へ送信する。その後、処理をＳ２１０１へ進める。画像処理装置１００のＣＰＵ１０１は、課金装置１１０より処理完了通知を受け付けると、Ｓ２２１５において、「忘れ物にご注意ください」と表示された終了画面を一定時間表示するよう制御する。
【００２６】
また、Ｓ２１１６において、課金装置１１０のＣＰＵ１１１は、画像処理装置１００に領収書の発行可能通知を送信する。さらに、ＣＰＵ１１１は、Ｓ２１１６において、領収書の発行期間の計測を開始する。なお、発行期間は予め定められた長さの期間であり、課金装置１１０が領収書の発行が可能な期間である。次に、Ｓ２１１７において、ＣＰＵ１１１は、領収書ボタン１１４のＬＥＤを緑点灯させる。次に、Ｓ２１１８において、ＣＰＵ１１１は、領収書ボタン１１４が押下されたか否かを確認する。ＣＰＵ１１１は、領収書ボタン１１４が押下された場合には（Ｓ２１１８でＹＥＳ）、処理をＳ２１１９へ進める。ＣＰＵ１１１は、領収書ボタン１１４が押下されなかった場合には（Ｓ２１１８でＮＯ）、処理をＳ２１２２へ進める。なお、領収書ボタン１１４の押下は、領収書発行を指示するためのユーザ操作の一例であり、Ｓ２１１８の処理は、領収書発行のユーザ操作を受け付ける受付処理の一例である。
【００２７】
Ｓ２１１９において、ＣＰＵ１１１は、印刷装置１１５に対し、領収書を発行するよう指示する。印刷装置１１５は、ＣＰＵ１１１の指示に従い領収書を印刷する。次に、Ｓ２１２０において、ＣＰＵ１１１は、領収書ボタン１１４のＬＥＤを消灯する。次に、Ｓ２１２１において、ＣＰＵ１１１は、処理完了通知を画像処理装置１００へ送信する。その後、ＣＰＵ１１１は、処理をＳ２１０１へ進める。一方、Ｓ２１２２においては、ＣＰＵ１１１は、領収書の発行期間が終了したか否かを確認する。ＣＰＵ１１１は、発行期間が終了した場合には（Ｓ２１２２でＹＥＳ）、処理をＳ２１２０へ進める。ＣＰＵ１１１は、発行期間が終了していない場合には（Ｓ２１２２でＮＯ）、処理をＳ２１１８へ進める。
【００２８】
次に、Ｓ２１１６〜Ｓ２１２１の処理の間に、課金装置１１０に対し、追加課金があった場合について説明する。Ｓ２１３０において、課金装置１１０のＣＰＵ１１１は、追加課金の有無を確認する。ＣＰＵ１１１は、追加課金があった場合には（Ｓ２１３０でＹＥＳ）、処理をＳ２１３１へ進める。Ｓ２１３１において、ＣＰＵ１１１は、画像処理装置１００に対して残金を示す残金情報を送信する。
【００２９】
一方、画像処理装置１００は、Ｓ２１１６において課金装置１１０から送られた領収書の発行可能通知を受信すると、Ｓ２２１１において、領収書の発行画面を操作パネル１０６に表示するよう制御する。図５は、発行画面５００の一例を示す図である。発行画面５００は、領収書の発行が可能な期間であることをユーザに通知する情報を表示する画面であり、かつ領収書が必要な場合に、領収書の発行ボタンを押下するよう促す情報を表示する画面である。この表示により、課金装置１１０において領収書が発行可能であることをユーザに示すことができる。発行画面５００にはさらに、閉じるボタン５０１が表示されている。
【００３０】
次に、Ｓ２２１２において、ＣＰＵ１０１は、操作パネル１０６より閉じるボタン５０１が押下されたか否かを確認する。ＣＰＵ１０１は、閉じるボタン５０１が押下された場合には（Ｓ２２１２でＹＥＳ）、処理をＳ２２１４へ進める。ＣＰＵ１０１は、閉じるボタン５０１が押下されなかった場合には（Ｓ２２１２でＮＯ）、処理をＳ２２１３へ進める。ここで、閉じるボタン５０１は、ユーザが発行画面５００を確認したことを示す確認情報を入力するためのボタンである。また、Ｓ２２１２の処理は、確認情報の入力を受け付ける受付処理の一例である。Ｓ２２１３において、ＣＰＵ１０１は、課金装置１１０から処理完了通知を受信したか否かを確認する。ＣＰＵ１０１は、処理完了通知を受信した場合には（Ｓ２２１３でＹＥＳ）、処理をＳ２２１４へ進める。ＣＰＵ１０１は、処理完了通知を受信していない場合には（Ｓ２２１３でＮＯ）、処理をＳ２２１２へ進める。
【００３１】
Ｓ２２１４において、ＣＰＵ１０１は、課金装置１１０において残金があるか否かを確認する。ＣＰＵ１０１は、Ｓ２１３１において課金装置１１０から残金情報を受信している場合には残金ありと判断する。ＣＰＵ１０１は、残金がある場合には（Ｓ２２１４でＹＥＳ）、処理をＳ２２１６へ進める。ＣＰＵ１０１は、残金がない場合には（Ｓ２２１４でＮＯ）、処理をＳ２２１５へ進める。
【００３２】
Ｓ２２１６において、ＣＰＵ１０１は、発行画面の表示を終了し、再印刷画面を表示するよう制御する。ＣＰＵ１０１は、その後処理をＳ２２０３へ進める。なお、Ｓ２２１６において表示される再印刷画面は、Ｓ２２１０において表示される再印刷画面と同じ画面である。なお、ＣＰＵ１０１は、Ｓ２２０３へ進んだ後は、新たにＳ２１０２において、課金装置１１０から領収書の発行不可通知を受け付けても、領収書の発行不可画面の表示制御は行わず、Ｓ２２０３の設定画面を表示する処理から処理を行う。Ｓ２２１５において、ＣＰＵ１０１は、発行画面の表示を終了し、終了画面を一定時間表示するよう制御する。画像処理装置１００のＣＰＵ１０１はまた、Ｓ２１２１において、課金装置１１０から処理完了通知を受け付けた場合には、処理をＳ２２１３へ進める。なお、Ｓ２２１５及びＳ２２１６の処理は、発行画面の表示を終了するよう制御する制御処理の一例である。
【００３３】
以上のように、本実施形態においては、画像処理装置１００は、課金装置１１０から領収書の発行可能通知を受け付けると、操作パネル１０６に領収書の発行画面を表示する。そして、画像処理装置１００は、課金装置１１０において、課金処理が完了し、ＣＰＵ１０１から処理完了通知を受信すると、発行画面の表示を終了する。また、画像処理装置１００は、処理完了通知の受信前に確認情報を受け付けた場合には、処理完了通知を受信するのを待つことなく、発行画面の表示を終了する。
【００３４】
このように、本実施形態においては、画像処理装置１００は、課金装置１１０において領収書の発行が可能な期間に発行画面を表示する。したがって、ユーザは、領収書の発行が可能であることを、画像処理装置１００の表示内容から知ることができる。すなわち、本実施形態に係る課金システムは、ユーザによる面倒な操作を要することなく、ユーザに領収書の発行を効果的に通知することができる。
【００３５】
（第２の実施形態）
次に、第２の実施形態に係る課金システムについて、第１の実施形態に係る課金システムと異なる点について説明する。図６は、第２の実施形態に係る課金システムの処理を示すフローチャートである。なお、図６に示す各処理のうち、図３を参照しつつ説明した第１の実施形態に係る課金システムの処理と同じ処理には同じ番号を付している。
【００３６】
課金装置１１０のＣＰＵ１１１は、Ｓ２１１７において領収書ボタン１１４を緑点灯させた後、処理をＳ５１０１へ進める。Ｓ５１０１において、ＣＰＵ１１１は、領収書ボタン１１４が押下されたか否か及び画像処理装置１００から領収書の発行指示を受信したか否かを確認する。なお、発行指示は、後述のＳ５２０３の処理において画像処理装置１００により送信される。ＣＰＵ１１１は、領収書ボタン１１４が押下された場合又は発行指示を受信した場合には（Ｓ５１０１でＹＥＳ）、処理をＳ５１０２へ進める。Ｓ５１０２において、ＣＰＵ１１１は、印刷装置１１５に領収書を発行するよう指示する。印刷装置１１５は、ＣＰＵ１１１の指示に従い領収書を印刷する。次に、Ｓ５１０３において、ＣＰＵ１１１は、領収書ボタン１１４のＬＥＤを消灯する。次に、Ｓ５１０４において、ＣＰＵ１１１は、処理終了通知を画像処理装置１００へ送信する。その後、ＣＰＵ１１１は、処理をＳ２１０１へ進める。
【００３７】
一方、画像処理装置１００のＣＰＵ１０１は、Ｓ２１１６において課金装置１１０により送信された領収書の発行可能通知を受信すると、Ｓ５２０１において、領収書の発行画面を操作パネル１０６に表示するよう制御する。図７は、発行画面７００の一例を示す図である。発行画面７００には、領収書の発行を指示するための発行ボタン７０１と、領収書の発行不要を指示するための不要ボタン７０２と、が表示されている。このように、第２の実施形態に係る画像処理装置１００が表示する発行画面は、第１の実施形態に係る画像処理装置１００が表示する発行画面とは異なる内容を表示するものである。さらに、ＣＰＵ１０１は、Ｓ５２０１において、領収書の発行期間の計測を開始する。なお、発行期間は、予め定められた長さの期間であり、課金装置１１０が領収書の発行が可能な期間である。ここで、Ｓ５２０１の処理は、発行期間の計測を開始する計測処理の一例である。
【００３８】
次に、Ｓ５２０２において、ＣＰＵ１０１は、発行画面７００の発行ボタン７０１が押下されたか否かを確認する。ＣＰＵ１０１は、発行ボタン７０１が押下された場合には（Ｓ５２０２でＹＥＳ）、処理をＳ５２０３へ進める。ＣＰＵ１０１は、発行ボタン７０１が押下されなかった場合には（Ｓ５２０２でＮＯ）、処理をＳ５２０４へ進める。Ｓ５２０３において、ＣＰＵ１０１は、課金装置１１０へ領収書の発行指示を送信する。ＣＰＵ１０１は、また、課金装置１１０から処理完了通知を受信すると、Ｓ５２０６において、発行画面の表示を終了し、終了画面を一定時間表示するよう制御する。
【００３９】
また、Ｓ５２０４において、ＣＰＵ１０１は、不要ボタン７０２が押下されたか否か及び領収書の発行期間が終了したか否かを確認する。ＣＰＵ１０１は、不要ボタン７０２が押下された場合又は発行期間が終了した場合には（Ｓ５２０４でＹＥＳ）、処理をＳ５２０５へ進める。Ｓ５２０５において、ＣＰＵ１０１は、領収書の発行期間の終了通知を課金装置１１０に送る。課金装置１１０のＣＰＵ１１１は、画像処理装置１００から終了通知を受け付けると、Ｓ５１０３において、領収書ボタン１１４のＬＥＤを消灯し、その後処理をＳ５１０４へ進める。なお、第２の実施形態に係る課金システムのこれ以外の構成及び処理は、第１の実施形態に係る課金システムの構成及び処理と同様である。なお、本実施形態においても、課金装置１１０においても、画像処理装置１００と同様に発行期間の計測を行ってもよい。
【００４０】
以上のように、第２の実施形態に係る課金システムにおいては、画像処理装置１００が発行期間を管理し、画像処理装置１００は、発行期間の間、領収書の発行が可能な旨の発行画面７００を表示する。したがって、発行期間と、発行画面７００の表示期間とを精度よく対応させることができる。さらに、ユーザは、課金装置１１０の領収書ボタン１１４の操作以外に、発行画面７００の発行ボタン７０１を選択することによっても、領収書の発行を課金装置１１０に指示することができる。
【００４１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００４２】
例えば、第１の実施形態に係る課金システムにおいても、画像処理装置１００は、発行ボタンを含む発行画面を表示し、ユーザが発行ボタンを選択した場合に、課金装置１１０に領収書の発行指示を送信してもよい。
【００４３】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４４】
１００  画像形成装置
１１０  課金装置
【図１】
0006786219.tif 000002
【図２】
0006786219.tif 000003
【図３】
0006786219.tif 000004
【図４】
0006786219.tif 000005
【図５】
0006786219.tif 000006
【図６】
0006786219.tif 000007
【図７】
0006786219.tif 000008